(57)【要約】【課題】効率的に情報のサイズ、および／または、情報のための変調シンボル／符号化シンボル／リソースエレメントの数を決定することができる【解決手段】端末装置は、ＰＵＳＣＨを用いてＨＡＲＱ−ＡＣＫとＣＳＩとトランスポートブロックを送信し、前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する。【選択図】図６
2019016826.tif 000002
【特許請求の範囲】
【請求項１】
ＨＡＲＱ−ＡＣＫとＣＳＩとトランスポートブロックを個別に符号化する符号化部と、
ＰＵＳＣＨを用いて前記ＨＡＲＱ−ＡＣＫと前記ＣＳＩと前記トランスポートブロックを送信する送信部と、を備え、
前記符号化部は、
前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、
前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する端末装置。
【請求項２】
前記符号化部は、前記トランスポートブロックの符号化変調シンボルの一部を、前記第１の符号化変調シンボルで上書きする請求項１に記載の端末装置。
【請求項３】
前記符号化部は、
前記第１の符号化変調シンボルによって前記トランスポートブロックの符号化変調シンボルが上書きされる場合、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算し、
前記トランスポートブロックの符号化変調シンボルが前記ＨＡＲＱ−ＡＣＫの符号化変調シンボルを避けてマップされる場合、前記トランスポートブロックのサイズを、前記第１の符号化変調シンボルの数Ｑ’ＡＣＫ、および、前記第２の符号化変調シンボルの数Ｑ’ＣＳＩに少なくとも基づいて計算する請求項１に記載の端末装置。
【請求項４】
上りリンク制御情報とトランスポートブロックを個別に符号化する符号化部と、
ＰＵＳＣＨを用いて前記上りリンク制御情報と前記トランスポートブロックを送信する送信部と、を備え、
前記符号化部は、
上りリンク制御情報のための符号化変調シンボルの数Ｑ’を用いずに、仮想的なトランスポートブロックサイズＴＢＳｖｉｒｔｕａｌを計算し、
前記仮想的なトランスポートブロックサイズＴＢＳｖｉｒｔｕａｌに少なくとも基づいて、前記符号化変調シンボルの数Ｑ’を計算し、
前記符号化変調シンボルの数Ｑ’に少なくとも基づいて、前記トランスポートブロックのサイズＴＢＳを計算する端末装置。
【請求項５】
前記上りリンク制御情報は、ＨＡＲＱ−ＡＣＫである請求項４に記載の端末装置。
【請求項６】
前記上りリンク制御情報は、ＣＳＩである請求項４に記載の端末装置。
【請求項７】
下りリンク制御情報を含むＰＤＣＣＨを受信する受信部と、
上りリンク制御情報とトランスポートブロックを個別に符号化する符号化部と、
ＰＵＳＣＨを用いて前記上りリンク制御情報と前記トランスポートブロックを送信する送信部と、を備え、
前記下りリンク制御情報は、ターゲット符号化率Ｒと変調次数Ｑｍを示し、
前記符号化部は、
前記ターゲット符号化率Ｒと変調次数Ｑｍに少なくとも基づいて、前記上りリンク制御情報の符号化変調シンボルの数Ｑ’を計算し、
前記ターゲット符号化率Ｒと変調次数Ｑｍと前記符号化変調シンボルの数Ｑ’に少なくとも基づいて、前記トランスポートブロックのサイズを計算する端末装置。
【請求項８】
前記上りリンク制御情報は、ＨＡＲＱ−ＡＣＫである請求項７に記載の端末装置。
【請求項９】
前記上りリンク制御情報は、ＣＳＩである請求項７に記載の端末装置。
【請求項１０】
ＨＡＲＱ−ＡＣＫとＣＳＩとトランスポートブロックを個別に復号する復号部と、
ＰＵＳＣＨを用いて前記ＨＡＲＱ−ＡＣＫと前記ＣＳＩと前記トランスポートブロックを受信する受信部と、を備え、
前記復号部は、
前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、
前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する基地局装置。
【請求項１１】
上りリンク制御情報とトランスポートブロックを個別に復号する復号部と、
ＰＵＳＣＨを用いて前記上りリンク制御情報と前記トランスポートブロックを受信する受信部と、を備え、
前記復号部は、
上りリンク制御情報のための符号化変調シンボルの数Ｑ’を用いずに、仮想的なトランスポートブロックサイズＴＢＳｖｉｒｔｕａｌを計算し、
前記仮想的なトランスポートブロックサイズＴＢＳｖｉｒｔｕａｌに少なくとも基づいて、前記符号化変調シンボルの数Ｑ’を計算し、
前記符号化変調シンボルの数Ｑ’に少なくとも基づいて、前記トランスポートブロックのサイズＴＢＳを計算する基地局装置。
【請求項１２】
下りリンク制御情報を含むＰＤＣＣＨを送信する送信部と、
上りリンク制御情報とトランスポートブロックを個別に復号する復号部と、
ＰＵＳＣＨを用いて前記上りリンク制御情報と前記トランスポートブロックを受信する受信部と、を備え、
前記下りリンク制御情報は、ターゲット符号化率Ｒと変調次数Ｑｍを示し、
前記復号部は、
前記ターゲット符号化率Ｒと変調次数Ｑｍに少なくとも基づいて、前記上りリンク制御情報の符号化変調シンボルの数Ｑ’を計算し、
前記ターゲット符号化率Ｒと変調次数Ｑｍと前記符号化変調シンボルの数Ｑ’に少なくとも基づいて、前記トランスポートブロックのサイズを計算する基地局装置。
【請求項１３】
端末装置の通信方法であって、
ＨＡＲＱ−ＡＣＫとＣＳＩとトランスポートブロックを個別に符号化し、
ＰＵＳＣＨを用いて前記ＨＡＲＱ−ＡＣＫと前記ＣＳＩと前記トランスポートブロックを送信し、
前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、
前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する通信方法。
【請求項１４】
端末装置の通信方法であって、
上りリンク制御情報とトランスポートブロックを個別に符号化し、
ＰＵＳＣＨを用いて前記上りリンク制御情報と前記トランスポートブロックを送信し、
上りリンク制御情報のための符号化変調シンボルの数Ｑ’を用いずに、仮想的なトランスポートブロックサイズＴＢＳｖｉｒｔｕａｌを計算し、
前記仮想的なトランスポートブロックサイズＴＢＳｖｉｒｔｕａｌに少なくとも基づいて、前記符号化変調シンボルの数Ｑ’を計算し、
前記符号化変調シンボルの数Ｑ’に少なくとも基づいて、前記トランスポートブロックのサイズＴＢＳを計算する通信方法。
【請求項１５】
端末装置の通信方法であって、
下りリンク制御情報を含むＰＤＣＣＨを受信し、
上りリンク制御情報とトランスポートブロックを個別に符号化し、
ＰＵＳＣＨを用いて前記上りリンク制御情報と前記トランスポートブロックを送信し、
前記下りリンク制御情報は、ターゲット符号化率Ｒと変調次数Ｑｍを示し、
前記ターゲット符号化率Ｒと変調次数Ｑｍに少なくとも基づいて、前記上りリンク制御情報の符号化変調シンボルの数Ｑ’を計算し、
前記ターゲット符号化率Ｒと変調次数Ｑｍと前記符号化変調シンボルの数Ｑ’に少なくとも基づいて、前記トランスポートブロックのサイズを計算する通信方法。
【請求項１６】
基地局装置の通信方法であって、
ＨＡＲＱ−ＡＣＫとＣＳＩとトランスポートブロックを個別に復号し、
ＰＵＳＣＨを用いて前記ＨＡＲＱ−ＡＣＫと前記ＣＳＩと前記トランスポートブロックを受信し、
前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、
前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する通信方法。
【請求項１７】
基地局装置の通信方法であって、
上りリンク制御情報とトランスポートブロックを個別に復号し、
ＰＵＳＣＨを用いて前記上りリンク制御情報と前記トランスポートブロックを受信し、
上りリンク制御情報のための符号化変調シンボルの数Ｑ’を用いずに、仮想的なトランスポートブロックサイズＴＢＳｖｉｒｔｕａｌを計算し、
前記仮想的なトランスポートブロックサイズＴＢＳｖｉｒｔｕａｌに少なくとも基づいて、前記符号化変調シンボルの数Ｑ’を計算し、
前記符号化変調シンボルの数Ｑ’に少なくとも基づいて、前記トランスポートブロックのサイズＴＢＳを計算する通信方法。
【請求項１８】
基地局装置の通信方法であって、
下りリンク制御情報を含むＰＤＣＣＨを送信し、
上りリンク制御情報とトランスポートブロックを個別に復号し、
ＰＵＳＣＨを用いて前記上りリンク制御情報と前記トランスポートブロックを受信し、
前記下りリンク制御情報は、ターゲット符号化率Ｒと変調次数Ｑｍを示し、
前記ターゲット符号化率Ｒと変調次数Ｑｍに少なくとも基づいて、前記上りリンク制御情報の符号化変調シンボルの数Ｑ’を計算し、
前記ターゲット符号化率Ｒと変調次数Ｑｍと前記符号化変調シンボルの数Ｑ’に少なくとも基づいて、前記トランスポートブロックのサイズを計算する通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。また、３ＧＰＰにおいて、新たな無線アクセス方式（以下、「New Radio（NR）」と
称する。）が検討されている。ＬＴＥでは、基地局装置をｅＮｏｄｅＢ（evolved NodeB
）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＬＴＥにおいて、端末装置１は、トランスポートブロックを含むＰＵＳＣＨを用いて上りリンク制御情報を送信してもよい（非特許文献３）。ＬＴＥにおいて、トランスポートブロックのサイズは、ＭＣＳインデックス、レイヤの数v、および、周波数領域において
ＰＵＳＣＨの送信のために割り当てられたリソースブロックの数NRBに基づいて決定され
てもよい（非特許文献３）。
【０００４】
ＮＲにおいて、トランスポートブロックのサイズを、変調次数Ｑｍ、ターゲット符号化率Ｒ、レイヤの数v、および、周波数領域において割り当てられたリソースブロックの数NRB、スロット／ミニスロット毎におけるＰＲＢ毎におけるＲＥの数ＮＵＬ＿ＰＲＢＲＥ（the number of REs per PRB per slot/mini-slot）に基づいて決定することが検討されている（非特許文献６）。端末装置１は、受信したＭＣＳインデックスを用いて、変調次数Ｑｍ、および、ターゲット符号化率Ｒを読み取る。
【０００５】
非特許文献７において、レイヤ毎のトランスポートブロックのサイズを、変調次数Ｑｍ、ターゲット符号化率Ｒ、および、割り当てられたＲＥの数に基づいて決定することが提案されている。
【先行技術文献】
【非特許文献】
【０００６】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"On MCS/transport Block Size Determination", R1-1711501, Ericsson, 3GPP TSG RAN WG1 NR Ad-Hoc#2, Qingdao, P.R. China, 27th - 30th June 2017.
【非特許文献７】" Transport block size determination", R1-1710720, Samsung, 3GPP TSG RAN WG1 NR Ad-Hoc#2, Qingdao, P.R. China, 27th - 30th June 2017.
【発明の概要】
【発明が解決しようとする課題】
【０００７】
本発明は、端末装置、該端末装置に用いられる通信方法、基地局装置、および、該基地
局装置に用いられる通信方法を提供する。本発明の端末装置、該端末装置に用いられる通信方法、基地局装置、および、該基地局装置に用いられる通信方法は、効率的に情報のサイズを決定する方法、および／または、効率的に情報のための変調シンボル／符号化シンボル／リソースエレメントの数を決定する方法を備える。ここで、情報はデータ、制御情報、および、参照信号の一部、または、全部を少なくとも含んでもよい。
【課題を解決するための手段】
【０００８】
（１）本発明の態様は、以下のような手段を講じた。すなわち、本発明の第１の態様は、端末装置であって、ＨＡＲＱ−ＡＣＫとＣＳＩとトランスポートブロックを個別に符号化する符号化部と、ＰＵＳＣＨを用いて前記ＨＡＲＱ−ＡＣＫと前記ＣＳＩと前記トランスポートブロックを送信する送信部と、を備え、前記符号化部は、前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する。
【０００９】
（２）本発明の第２の態様は、端末装置であって、上りリンク制御情報とトランスポートブロックを個別に符号化する符号化部と、ＰＵＳＣＨを用いて前記上りリンク制御情報と前記トランスポートブロックを送信する送信部と、を備え、前記符号化部は、上りリンク制御情報のための符号化変調シンボルの数Ｑ’を用いずに、仮想的なトランスポートブロックサイズＴＢＳｖｉｒｔｕａｌを計算し、前記仮想的なトランスポートブロックサイズＴＢＳｖｉｒｔｕａｌに少なくとも基づいて、前記符号化変調シンボルの数Ｑ’を計算し、前記符号化変調シンボルの数Ｑ’に少なくとも基づいて、前記トランスポートブロックのサイズＴＢＳを計算する。
【００１０】
（３）本発明の第３の態様は、端末装置であって、下りリンク制御情報を含むＰＤＣＣＨを受信する受信部と、上りリンク制御情報とトランスポートブロックを個別に符号化する符号化部と、ＰＵＳＣＨを用いて前記上りリンク制御情報と前記トランスポートブロックを送信する送信部と、を備え、前記下りリンク制御情報は、ターゲット符号化率Ｒと変調次数Ｑｍを示し、前記符号化部は、前記ターゲット符号化率Ｒと変調次数Ｑｍに少なくとも基づいて、前記上りリンク制御情報の符号化変調シンボルの数Ｑ’を計算し、前記ターゲット符号化率Ｒと変調次数Ｑｍと前記符号化変調シンボルの数Ｑ’に少なくとも基づいて、前記トランスポートブロックのサイズを計算する。
【００１１】
（４）本発明の第４の態様は、基地局装置であって、ＨＡＲＱ−ＡＣＫとＣＳＩとトランスポートブロックを個別に復号する復号部と、ＰＵＳＣＨを用いて前記ＨＡＲＱ−ＡＣＫと前記ＣＳＩと前記トランスポートブロックを受信する受信部と、を備え、前記復号部は、前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する。
【００１２】
（５）本発明の第５の態様は、基地局装置であって、上りリンク制御情報とトランスポートブロックを個別に復号する復号部と、ＰＵＳＣＨを用いて前記上りリンク制御情報と前記トランスポートブロックを受信する受信部と、を備え、前記復号部は、上りリンク制御情報のための符号化変調シンボルの数Ｑ’を用いずに、仮想的なトランスポートブロックサイズＴＢＳｖｉｒｔｕａｌを計算し、前記仮想的なトランスポートブロックサイズＴＢＳｖｉｒｔｕａｌに少なくとも基づいて、前記符号化変調シンボルの数Ｑ’を計算し、前記符号化変調シンボルの数Ｑ’に少なくとも基づいて、前記トランスポートブロックのサイズＴＢＳを計算する。
【００１３】
（６）本発明の第６の態様は、基地局装置であって、下りリンク制御情報を含むＰＤＣＣＨを送信する送信部と、上りリンク制御情報とトランスポートブロックを個別に復号する復号部と、ＰＵＳＣＨを用いて前記上りリンク制御情報と前記トランスポートブロックを受信する受信部と、を備え、前記下りリンク制御情報は、ターゲット符号化率Ｒと変調次数Ｑｍを示し、前記復号部は、前記ターゲット符号化率Ｒと変調次数Ｑｍに少なくとも基づいて、前記上りリンク制御情報の符号化変調シンボルの数Ｑ’を計算し、前記ターゲット符号化率Ｒと変調次数Ｑｍと前記符号化変調シンボルの数Ｑ’に少なくとも基づいて、前記トランスポートブロックのサイズを計算する。
【００１４】
（７）本発明の第７の態様は、端末装置の通信方法であって、ＨＡＲＱ−ＡＣＫとＣＳＩとトランスポートブロックを個別に符号化し、ＰＵＳＣＨを用いて前記ＨＡＲＱ−ＡＣＫと前記ＣＳＩと前記トランスポートブロックを送信し、前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する。
【００１５】
（８）本発明の第８の態様は、端末装置の通信方法であって、上りリンク制御情報とトランスポートブロックを個別に符号化し、ＰＵＳＣＨを用いて前記上りリンク制御情報と前記トランスポートブロックを送信し、上りリンク制御情報のための符号化変調シンボルの数Ｑ’を用いずに、仮想的なトランスポートブロックサイズＴＢＳｖｉｒｔｕａｌを計算し、前記仮想的なトランスポートブロックサイズＴＢＳｖｉｒｔｕａｌに少なくとも基づいて、前記符号化変調シンボルの数Ｑ’を計算し、前記符号化変調シンボルの数Ｑ’に少なくとも基づいて、前記トランスポートブロックのサイズＴＢＳを計算する。
【００１６】
（９）本発明の第９の態様は、端末装置の通信方法であって、下りリンク制御情報を含むＰＤＣＣＨを受信し、上りリンク制御情報とトランスポートブロックを個別に符号化し、ＰＵＳＣＨを用いて前記上りリンク制御情報と前記トランスポートブロックを送信し、前記下りリンク制御情報は、ターゲット符号化率Ｒと変調次数Ｑｍを示し、前記ターゲット符号化率Ｒと変調次数Ｑｍに少なくとも基づいて、前記上りリンク制御情報の符号化変調シンボルの数Ｑ’を計算し、前記ターゲット符号化率Ｒと変調次数Ｑｍと前記符号化変調シンボルの数Ｑ’に少なくとも基づいて、前記トランスポートブロックのサイズを計算する。
【００１７】
（１０）本発明の第１０の態様は、基地局装置の通信方法であって、ＨＡＲＱ−ＡＣＫとＣＳＩとトランスポートブロックを個別に復号し、ＰＵＳＣＨを用いて前記ＨＡＲＱ−ＡＣＫと前記ＣＳＩと前記トランスポートブロックを受信し、前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する。
【００１８】
（１１）本発明の第１１の態様は、基地局装置の通信方法であって、上りリンク制御情報とトランスポートブロックを個別に復号し、ＰＵＳＣＨを用いて前記上りリンク制御情報と前記トランスポートブロックを受信し、上りリンク制御情報のための符号化変調シンボルの数Ｑ’を用いずに、仮想的なトランスポートブロックサイズＴＢＳｖｉｒｔｕａｌを計算し、前記仮想的なトランスポートブロックサイズＴＢＳｖｉｒｔｕａｌに少なくとも基づいて、前記符号化変調シンボルの数Ｑ’を計算し、前記符号化変調シンボルの数Ｑ’に少なくとも基づいて、前記トランスポートブロックのサイズＴＢＳを計算する。
【００１９】
（１２）本発明の第１２の態様は、基地局装置の通信方法であって、下りリンク制御情報を含むＰＤＣＣＨを送信し、上りリンク制御情報とトランスポートブロックを個別に復号し、ＰＵＳＣＨを用いて前記上りリンク制御情報と前記トランスポートブロックを受信し、前記下りリンク制御情報は、ターゲット符号化率Ｒと変調次数Ｑｍを示し、前記ターゲット符号化率Ｒと変調次数Ｑｍに少なくとも基づいて、前記上りリンク制御情報の符号化変調シンボルの数Ｑ’を計算し、前記ターゲット符号化率Ｒと変調次数Ｑｍと前記符号化変調シンボルの数Ｑ’に少なくとも基づいて、前記トランスポートブロックのサイズを計算する。
【発明の効果】
【００２０】
この発明によれば、端末装置は効率的に上りリンク送信を行うことができる。また、基地局装置は効率的に上りリンク送信の受信を行うことができる。
【図面の簡単な説明】
【００２１】
【図１】本実施形態におけるシンボルを示す図である。
【図２】本実施形態におけるシンボルを示す図である。
【図３】本実施形態の無線通信システムの概念図である。
【図４】本実施形態の無線フレームの概略構成を示す図である。
【図５】本実施形態における上りリンクスロットの概略構成を示す図である。
【図６】本実施形態の端末装置１の構成を示す概略ブロック図である。
【図７】本実施形態の基地局装置３の構成を示す概略ブロック図である。
【図８】本実施形態におけるトランスポートブロック（ａｋ）、タイプＡ  ＣＳＩ（ｏｋ）、タイプＢ  ＣＳＩ（ｂｋ）、および、ＨＡＲＱ−ＡＣＫ（ｃｋ）の符号化処理の一例を示す図である。
【図９】本実施形態の８００におけるトランスポートブロックの符号化の一例を示す図である。
【図１０】本実施形態におけるＣＲＣパリティビットが付加されたコードブロックの系列ｐｉ，ｋの概略を示す図である。
【図１１】本実施形態における符号化ビットの多重・インタリーブの例を示す図である。
【図１２】本実施形態におけるＰＵＳＣＨの送信に係わるシーケンスチャートの一例を示す図である。
【図１３】本実施形態におけるトランスポートブロックを算出するためのフローを示す図である。
【発明を実施するための形態】
【００２２】
以下、本発明の実施形態について説明する。
【００２３】
図１および図２は、本実施形態におけるシンボルを示す図である。
【００２４】
図３は、本実施形態の無線通信システムの概念図である。図３において、無線通信システムは、端末装置１Ａ〜１Ｃ、および基地局装置３を具備する。以下、端末装置１Ａ〜１Ｃを端末装置１という。
【００２５】
以下、キャリアアグリゲーションについて説明する。
【００２６】
本実施形態では、端末装置１は、１つまたは複数のサービングセルが設定される。端末装置１が複数のサービングセルを介して通信する技術をセルアグリゲーション、またはキャリアアグリゲーションと称する。端末装置１に対して設定される複数のサービングセル
のそれぞれにおいて、本発明が適用されてもよい。また、設定された複数のサービングセルの一部において、本発明が適用されてもよい。複数のサービングセルは、少なくとも１つのプライマリセルを含む。複数のサービングセルは、１つ、または、複数のセカンダリセルを含んでもよい。
【００２７】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセルが設定されてもよい。
【００２８】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２９】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００３０】
本実施形態の物理チャネルおよび物理信号について説明する。
【００３１】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、下りリンクのＣＳＩ（Channel State Information）、および／または
、ＨＡＲＱ−ＡＣＫ（Hybrid Automatic Repeat reQuest）を送信するために用いられる
。ＣＳＩ、および、ＨＡＲＱ−ＡＣＫは、上りリンク制御情報（Uplink Control Information: UCI）である。
【００３２】
ＰＵＳＣＨは、上りリンクデータ（Transport block, Uplink-Shared Channel: UL-SCH）、下りリンクのＣＳＩ、および／または、ＨＡＲＱ−ＡＣＫを送信するために用いられる。ＣＳＩ、および、ＨＡＲＱ−ＡＣＫは、上りリンク制御情報（Uplink Control Information: UCI）である。端末装置１は、上りリンクグラント（uplink grant）を含むＰＤ
ＣＣＨ（Physical Downlink Control Channel）の検出に基づいてＰＵＳＣＨを送信して
もよい。
【００３３】
ＣＳＩは、チャネル品質指標（Channel Quality Indicator: CQI）、ＲＩ（Rank Indicator）、および、ＰＭＩ（Precoding Matrix Indicator）を少なくとも含む。ＣＱＩは、ＰＤＳＣＨで送信される単一のトランスポートブロックに対する、変調方式と符号化率の組合せを表現する。ＲＩは、端末装置１によって決定される有効なレイヤの数を示す。ＰＭＩは、端末装置１によって決定されるコードブックを示す。該コードブックは、ＰＤＳＣＨのプリコーディングに関連する。
【００３４】
ＲＩをタイプＡ  ＣＳＩとも称する。タイプＡ  ＣＳＩはＲＩ以外のＣＳＩを含んでもよい。ＣＱＩおよびＰＭＩをタイプＢ  ＣＳＩとも称する。タイプＢ  ＣＳＩはＣＱＩと
ＰＭＩ以外のＣＳＩを含んでもよい。
【００３５】
ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対応する。ＨＡＲＱ−ＡＣＫは、ＡＣＫ（acknowledgement）
またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００３６】
ＰＲＡＣＨは、ランダムアクセスプリアンブルを送信するために用いられる。
【００３７】
上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
・ＰＴＲＳ（Phase Tracking Reference Signal）
ＤＭＲＳは、ＰＵＣＣＨまたはＰＵＳＣＨの送信に関連する。ＤＭＲＳは、ＰＵＳＣＨと時間多重されてもよい。基地局装置３は、ＰＵＳＣＨの伝搬路補正を行なうためにＤＭＲＳを使用してもよい。
【００３８】
ＰＴＲＳは、ＰＵＳＣＨの送信に関連する。ＰＴＲＳはＡ個のシンボルおきにマップされてもよい。ＰＴＲＳの時間密度Ａは以下の（１）から（９）の一部または全部に少なくとも基づいて決定されてもよい。ＰＴＲＳはＢ個のシンボルおきにマップされてもよい。ＰＴＲＳの周波数密度Ｂは以下の（１）から（９）の一部または全部に少なくとも基づいて決定されてもよい。すなわち、トランスポートブロックのための現在のスロットにおけるＰＵＳＣＨ送信のためのＰＴＲＳのためのリソースエレメントの数ＮＰＴＲＳは、以下の（１）から（９）の一部または全部に少なくとも基づいて決定されてもよい。
（１）ターゲット符号化率Ｒ
（２）変調次数Ｑｍ
（３）サブキャリアの数で表現される、トランスポートブロックのための現在のスロットにおけるＰＵＳＣＨ送信のためのスケジュールされた帯域幅ＭＳＣ
（４）サブキャリアの数で表現される、同じトランスポートブロックのためのＰＵＳＣＨ初期送信のためのスケジュールされた帯域幅ＭＳＣ＿ｉｎｉｔｉａｌ
（５）トランスポートブロックのための現在のスロットにおけるＰＵＳＣＨ送信のためのＳＣ−ＦＤＭＡシンボルまたはＯＦＤＭシンボルの数Ｎｓｙｍｂ
（６）同じトランスポートブロックのためのＰＵＳＣＨ初期送信のためのＳＣ−ＦＤＭＡシンボルまたはＯＦＤＭシンボルの数Ｎｓｙｍｂ＿ｉｎｉｔｉａｌ
（７）ＰＵＳＣＨのために割り当てられたリソースエレメントの数ＮＲＥ
（８）ＰＵＳＣＨのために割り当てられたリソースエレメントの仮想的な数ＮvirtualＲ
Ｅ
（９）ＣＰ（Cyclic Prefix）長を示す上位層のパラメータUL-CyclicPrefixLength
トランスポートブロックの現在のスロットにおけるＰＵＳＣＨ再送信のためのＰＴＲＳの時間密度Ａは、同じトランスポートブロックのＰＵＳＣＨ初期送信のためのＰＴＲＳの時間密度Ａによって与えられてもよい。トランスポートブロックの現在のスロットにおけるＰＵＳＣＨ再送信のためのＰＴＲＳの周波数密度Ｂは、同じトランスポートブロックのＰＵＳＣＨ初期送信のためのＰＴＲＳの周波数密度Ｂによって与えられてもよい。
【００３９】
ＭＳＣは、ＭＳＣ＿ｉｎｉｔｉａｌとは異なる値であってもよい。Ｎｓｙｍｂは、Ｎｓｙｍｂ＿ｉｎｉｔｉａｌとは異なる値であってもよい。
【００４０】
端末装置１は、上りリンクグラントに基づいて、Ｒ、Ｑｍ、ＭＳＣ、ＭＳＣ＿ｉｎｉｔｉａｌ、Ｎｓｙｍｂ、Ｎｓｙｍｂ＿ｉｎｉｔｉａｌ、ＮＲＥ、および／または、ＮvirtualＲＥを取得してもよい。基地局装置３は、上りリンクグラントを用いて、端末装置１に
、Ｒ、Ｑｍ、ＭＳＣ、ＭＳＣ＿ｉｎｉｔｉａｌ、Ｎｓｙｍｂ、Ｎｓｙｍｂ＿ｉｎｉｔｉａｌ、ＮＲＥ、および／または、ＮvirtualＲＥを通知してもよい。
【００４１】
基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Control Channel）
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられてもよい。上りリンクグラントは、単一のセル内の複数のスロットにおける複数のＰＵＳＣＨのスケジューリングに用いられてもよい。上りリンクグラントは、単一のセル内の複数のスロットにおける単一のＰＵＳＣＨのスケジューリングに用いられてもよい。
【００４２】
ＰＤＳＣＨは、下りリンクデータ（Transport block, Downlink-Shared Channel: DL-SCH）を送信するために用いられる。
【００４３】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００４４】
以下、本実施形態の無線フレーム（radio frame）の構成について説明する。
【００４５】
図４は、本実施形態の無線フレームの概略構成を示す図である。図４において、横軸は時間軸である。無線フレームのそれぞれは、１０ｍｓ長であってもよい。また、無線フレームのそれぞれは１０のスロットから構成されてもよい。スロットのそれぞれは、１ｍｓ長であってもよい。
【００４６】
以下、本実施形態のスロットの構成の一例について説明する。図５は、本実施形態における上りリンクスロットの概略構成を示す図である。図５において、１つのセルにおける上りリンクスロットの構成を示す。図５において、横軸は時間軸であり、縦軸は周波数軸である。上りリンクスロットはＮＵＬｓｙｍｂ個のＳＣ−ＦＤＭＡシンボルを含んでもよい。上りリンクスロットはＮＵＬｓｙｍｂ個のＯＦＤＭシンボルを含んでもよい。以下、本実施形態では、上りリンクスロットがＯＦＤＭシンボルを含む場合を用いて説明をするが、上りリンクスロットがＳＣ−ＦＤＭＡシンボルを含む場合にも本実施形態を適用することはできる。
【００４７】
図５において、ｌはＯＦＤＭシンボル番号／インデックスであり、ｋはサブキャリア番号／インデックスである。スロットのそれぞれにおいて送信される物理シグナルまたは物理チャネルは、リソースグリッドによって表現される。上りリンクにおいて、リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００４８】
上りリンクスロットは、時間領域において、複数ＯＦＤＭシンボルｌ（ｌ＝０，１，．．．，ＮＵＬｓｙｍｂ）を含む。上りリンクにおけるノーマルＣＰ（normal Cyclic Prefix）に対して、ＮＵＬｓｙｍｂは７または１４であってもよい。上りリンクにおける拡張ＣＰ（extended CP）に対して、ＮＵＬｓｙｍｂは６または１２であってもよい。
【００４９】
端末装置１は、上りリンクにおけるＣＰ長を示す上位層のパラメータUL-CyclicPrefixLengthを基地局装置３から受信する。基地局装置３は、セルに対応する該上位層のパラメ
ータUL-CyclicPrefixLengthを含むシステムインフォメーションを、該セルにおいて報知
してもよい。
【００５０】
上りリンクスロットは、周波数領域において、複数のサブキャリアｋ（ｋ＝０，１，．．．，ＮＵＬＲＢ・ＮＲＢＳＣ)を含む。ＮＵＬＲＢは、ＮＲＢＳＣの倍数によって表現
される、サービングセルに対する上りリンク帯域幅設定である。ＮＲＢＳＣは、サブキャリアの数によって表現される、周波数領域における（物理）リソースブロックサイズである。サブキャリア間隔Δfは１５ｋＨｚであってもよい。ＮＲＢＳＣは１２であってもよ
い。周波数領域における（物理）リソースブロックサイズは１８０ｋＨｚであってもよい。
【００５１】
１つの物理リソースブロックは、時間領域においてNULsymbの連続するＯＦＤＭシンボ
ルと周波数領域においてＮＲＢＳＣの連続するサブキャリアとから定義される。ゆえに、１つの物理リソースブロックは（ＮＵＬｓｙｍｂ・ＮＲＢＳＣ）のリソースエレメントから構成される。１つの物理リソースブロックは、時間領域において１つのスロットに対応してもよい。物理リソースブロックは周波数領域において、周波数の低いほうから順に番号ｎＰＲＢ（0,1,…, NULRB-1）が付けられてもよい。
【００５２】
本実施形態における下りリンクのスロットは、複数のＯＦＤＭシンボルを含む。本実施形態における下りリンクのスロットの構成は上りリンクと基本的に同じであるため、下りリンクのスロットの構成の説明は省略する。
【００５３】
以下、本実施形態における装置の構成について説明する。
【００５４】
図６は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、符号化部、復号部、または、物理層処理部とも称する。
【００５５】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００５６】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う。
【００５７】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００５８】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００５９】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００６０】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００６１】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００６２】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００６３】
図７は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、符号化部、復号部、または、物理層処理部とも称する。
【００６４】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００６５】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う。
【００６６】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００６７】
無線送受信部３０の機能は、無線送受信部１０と同様であるため説明を省略する。
【００６８】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部のそれぞれは、少なくとも１つのプロセッサと前記少なくとも１つのプロセッサと連結されるメモリとして構成されてもよい。基地局装置３が備える符号３０から符号３６が付された部のそれぞれは、少なくとも１つのプロセッサと前記少なくとも１つのプロセッサと連結されるメモリとして構成されてもよい。
【００６９】
以下、ＰＵＳＣＨを用いて送信される、トランスポートブロック、タイプＡ  ＣＳＩ、タイプＢ  ＣＳＩ、および、ＨＡＲＱ−ＡＣＫの符号化処理について説明する。
【００７０】
図８は、本実施形態におけるトランスポートブロック（ａｋ）、タイプＡ  ＣＳＩ（ｏｋ）、タイプＢ  ＣＳＩ（ｂｋ）、および、ＨＡＲＱ−ＡＣＫ（ｃｋ）の符号化処理の一例を示す図である。図８の８００から８０３において、トランスポートブロック（ａｋ）、タイプＡ  ＣＳＩ（ｏｋ）、タイプＢ  ＣＳＩ（ｂｋ）、および、ＨＡＲＱ−ＡＣＫ（ｃｋ）は個別に符号化される。図８の８０４において、トランスポートブロックの符号化ビット（ｆｋ）、タイプＡ  ＣＳＩの符号化ビット（ｑｋ）、タイプＢ  ＣＳＩの符号化ビット（ｇｋ）、および、ＨＡＲＱ−ＡＣＫの符号化ビット（ｈｋ）は、多重、および、インタリーブされる。図８の８０５において、８０４において多重、および、インタリーブされた符号化ビットから、ベースバンド信号（ＰＵＳＣＨの信号）を生成する。
【００７１】
図９は、本実施形態の８００におけるトランスポートブロックの符号化の一例を示す図である。８００１において、トランスポートブロックａｋにＣＲＣパリティビットが付加することによって、ＣＲＣパリティビットが付加されたトランスポートブロックの系列ｓｋが生成される。８００１におけるＣＲＣパリティビットは、トランスポートブロックａｋに基づき生成される。
【００７２】
８０１１において、ＣＲＣパリティビットが付加されたトランスポートブロックの系列ｓｋは複数のコードブロックＰｉ，ｋに分割されてもよい。８０１１において、ＣＲＣパリティビットが付加されたトランスポートブロックの系列ｓｋは１つのコードブロックＰ０，ｋにマップされてもよい。ここで、系列ｓｋが対応するコードブロックの数Ｃは、トランスポートブロックａｋのサイズに少なくとも基づいて与えられてもよい。
【００７３】
８０１２のそれぞれにおいて、コードブロックＰｉ，ｋにＣＲＣパリティビットを付加することによって、ＣＲＣパリティビットが付加されたコードブロックの系列ｐｉ，ｋが生成される。８０１２におけるＣＲＣパリティビットは、コードブロックＰｉ，ｋに基づき生成される。図１０は、本実施形態におけるＣＲＣパリティビットが付加されたコードブロックの系列ｐｉ，ｋの概略を示す図である。コードブロックは、トランスポートブロ
ックのためのＣＲＣパリティビットを含んでもよい。系列ｐｉ，ｋのサイズはＫｒである。すなわち、Ｋｒは、ＣＲＣパリティビットを含むｒ番目のコードブロックのサイズである。
【００７４】
８０１３において、端末装置１は、系列ｐｉ，ｋのそれぞれをチャネル符号化（例えば、ターボ符号化、ＬＤＰＣ符号化）する。８０１３において、端末装置１は、チャネル符号化された複数の系列を収集、選択、および／または、除去することによってトランスポートブロックの符号化ビットの系列ｆｋを生成する。
【００７５】
図１１は、本実施形態における符号化ビットの多重・インタリーブの例を示す図である。符号化ビットの多重・インタリーブには、行列（matrix）が用いられてもよい。行列の列はＯＦＤＭシンボルまたはＳＣ−ＦＤＭＡシンボルに対応してもよい。図１１における四角は行列の要素である。行列の１つの要素は、１つの符号化変調シンボルに対応してもよい。符号化変調シンボルはＱｍ個の符号化ビットのグループである。Ｑｍは、ＰＵＳＣＨ（トランスポートブロック）に対する変調次数である。１つの符号化変調シンボルから、１つの複素数値シンボルが生成される。Ｄが付された四角はＤＭＲＳがマップされる要素である。Ｐが付された四角はＰＴＲＳがマップされる要素である。Ｈが付された四角はＨＡＲＱ−ＡＣＫの符号化変調シンボルがマップされる要素である。Ａが付された四角はタイプＡ  ＣＳＩの符号化変調シンボルがマップされる要素である。Ｂが付された四角はタイプＢ  ＣＳＩの符号化変調シンボルがマップされる要素である。斜線が付された四角はトランスポートブロックの符号化変調シンボルがマップされる要素である。
【００７６】
ＯＦＤＭの場合、端末装置１は、１つの列にマップされる複数の符号化変調シンボルから生成される複数の複素数値シンボルを、ＰＵＳＣＨのために割り当てられる１つのＯＦＤＭシンボルにおける複数のリソースエレメントにマップしてもよい。すなわち、ＯＦＤＭの場合、図１１の符号化変調シンボルは変調シンボルに置き換えられてもよい。ＯＦＤＭの場合、１つの行は１つのサブキャリアに対応しており、１つの要素は１つのリソースエレメントに対応している。ＳＣ−ＦＤＭＡの場合、端末装置１は、１つの列にマップされる複数の符号化変調シンボルから生成される複数の複素数値シンボルをＤＦＴプリコーディングすることによって得られる複数の複素数値シンボルを、ＰＵＳＣＨのために割り当てられる１つのＳＣ−ＦＤＭＡシンボルにおける複数のリソースエレメントにマップしてもよい。
【００７７】
トランスポートブロックの符号化変調シンボルは、ＤＭＲＳがマップされる要素、ＰＴＲＳがマップされる要素、タイプＡ  ＣＳＩがマップされる要素、および、タイプＢ  ＣＳＩがマップされる要素を避けてマップされてもよい。
【００７８】
トランスポートブロックの符号化変調シンボルは、ＨＡＲＱ−ＡＣＫの符号化変調シンボルがマップされる要素にマップされてもよい。この場合、ＨＡＲＱ−ＡＣＫの符号化変調シンボルは、トランスポートブロックの符号化変調シンボルの一部を上書きしてもよい。この場合、ＨＡＲＱ−ＡＣＫの符号化変調シンボルは、トランスポートブロックの符号化変調シンボルがマップされた要素を上書きしてもよい。トランスポートブロックの符号化変調シンボルは、ＨＡＲＱ−ＡＣＫの符号化変調シンボルがマップされる要素を避けてマップされてもよい。すなわち、トランスポートブロックの符号化変調シンボルのマッピングにおいて、ＨＡＲＱ−ＡＣＫの符号化変調シンボルがマップされる要素はスキップされてもよい。
【００７９】
トランスポートブロックの符号化変調シンボルが、ＨＡＲＱ−ＡＣＫの符号化変調シンボルがマップされる要素にマップされるか、ＨＡＲＱ−ＡＣＫの符号化変調シンボルがマップされる要素を避けてマップされるかは、ＨＡＲＱ−ＡＣＫビット数、ＨＡＲＱ−ＡＣ
Ｋのための符号化変調シンボルの数Ｑ’ＡＣＫ、ＨＡＲＱ−ＡＣＫのための符号化ビットの数ＱＡＣＫ、トランスポートブロックサイズＴＢＳ、ターゲット符号化率Ｒ、変調次数Ｑｍ、および／または、上りリンクグラントのフィールドの値の一部、または全部に少なくとも基づいて与えられてもよい。ターゲット符号化率Ｒは、０より大きくてもよく、且つ、１より小さくてもよい。
【００８０】
図１２は、本実施形態におけるＰＵＳＣＨの送信に係わるシーケンスチャートの一例を示す図である。１２００において、基地局装置３は、初期送信を指示する上りリンクグラント１２０１を含むＰＤＣＣＨ１２０２を、端末装置１に送信する。１２１０において、端末装置１は、ＰＤＣＣＨ１２０２の検出に基づいて、上りリンク制御情報１２１１（ＨＡＲＱ−ＡＣＫ、タイプＡ  ＣＳＩ、および／または、タイプＢ  ＣＳＩ）とトランスポートブロック１２１２を含むＰＵＳＣＨ初期送信１２１３を行う。基地局装置３が成功裏にトランスポートブロック１２１２を復号できなかった場合、基地局装置３は、１２２０において再送信を指示する上りリンクグラント１２２１を含むＰＤＣＣＨ１２２２を、端末装置１に送信する。端末装置１は、上りリンク制御情報１２３１（ＨＡＲＱ−ＡＣＫ、タイプＡ  ＣＳＩ、および／または、タイプＢ  ＣＳＩ）とトランスポートブロック１２１２を含むＰＵＳＣＨ再送信１２３３を行う。
【００８１】
上りリンク制御情報１２１１のためのＱ’ＡＣＫ、Ｑ’ＣＳＩ＿Ａ、および／または、Ｑ’ＣＳＩ＿Ｂの算出のために用いられるパラメータ（ｖ、Ｃ、Ｃ’、Ｋ、Ｋ’ｒ、ＭＳＣ＿ｉｎｉｔｉａｌ、ＮＰＴＲＳ＿ｉｎｉｔｉａｌ、Ｎｓｙｍｂ＿ｉｎｉｔｉａｌ、Ｑｍ、Ｒ）は、上りリンクグラント１２０１に基づいて与えられてもよい。上りリンク制御情報１２３１のためのＱ’ＡＣＫ、Ｑ’ＣＳＩ＿Ａ、および／または、Ｑ’ＣＳＩ＿Ｂの算出のために用いられるパラメータ（ｖ、Ｃ、Ｃ’、Ｋ、Ｋ’ｒ、ＭＳＣ＿ｉｎｉｔｉａｌ、ＮＰＴＲＳ＿ｉｎｉｔｉａｌ、Ｎｓｙｍｂ＿ｉｎｉｔｉａｌ、Ｑｍ、Ｒ）は、上りリンクグラント１２０１に基づいて与えられてもよい。
【００８２】
ＰＵＳＣＨ初期送信１２１３のためのパラメータ（ＭＳＣ、ＮＰＴＲＳ、Ｎｓｙｍｂ）は、パラメータ（ＭＳＣ＿ｉｎｉｔｉａｌ、ＮＰＴＲＳ＿ｉｎｉｔｉａｌ、Ｎｓｙｍｂ＿ｉｎｉｔｉａｌ）と同じである。ＰＵＳＣＨ再送信１２３３のためのパラメータ（ＭＳＣ、ＮＰＴＲＳ、Ｎｓｙｍｂ）は、パラメータ（ＭＳＣ＿ｉｎｉｔｉａｌ、ＮＰＴＲＳ＿ｉｎｉｔｉａｌ、Ｎｓｙｍｂ＿ｉｎｉｔｉａｌ）とは個別に定義され、且つ、上りリンクグラント１２２１に基づいて与えられてもよい。
【００８３】
以下、トランスポートブロックサイズの決定方法について説明をする。
【００８４】
端末装置１および基地局装置３は、トランスポートブロックサイズ候補のセットの中からトランスポートブロックサイズＴＢＳを決定してもよい。トランスポートブロックサイズ候補のビット数は８の倍数であるという条件を少なくとも満たす。トランスポートブロックサイズ候補のビット数は他の条件を満たしてもよい。
【００８５】
端末装置１および基地局装置３は、一時的なトランスポートブロックサイズＴＢＳｔｅｍｐよりも大きく、且つ、最も小さいトランスポートブロックサイズ候補を、トランスポートブロックサイズＴＢＳとして選択してもよい。端末装置１および基地局装置３は、一時的なトランスポートブロックサイズＴＢＳｔｅｍｐよりも小さく、且つ、最も大きいトランスポートブロックサイズ候補を、トランスポートブロックサイズＴＢＳとして選択してもよい。
【００８６】
一時的なトランスポートブロックサイズＴＢＳｔｅｍｐは、数式（１）によって与えられてもよい。一時的なトランスポートブロックサイズＴＢＳｔｅｍｐは、変調次数Ｑｍ、
ターゲット符号化率Ｒ、割り当てられたリソースエレメントの数ＮＲＥ、および、レイヤの数ｖに少なくとも基づいて与えられてもよい。すなわち、トランスポートブロックサイズは、変調次数Ｑｍ、ターゲット符号化率Ｒ、割り当てられたリソースエレメントの数ＮＲＥ、および、レイヤの数ｖに少なくとも基づいて与えられてもよい。レイヤの数は、空間多重されるレイヤの数であってもよい。本実施形態ではレイヤの数ｖが１の場合について詳述するが、本実施形態はレイヤの数ｖが１より大きい場合に適用してもよい。本実施形態では１つのトランスポートブロックがＰＵＳＣＨにおいて送信される場合について詳述するが、本実施形態は複数のトランスポートブロックがＰＵＳＣＨにおいて送信される場合に適用してもよい。
【００８７】
【数１】
2019016826.tif 000003
【００８８】
変調次数Ｑｍは上りリンクグラントに含まれる第１のフィールドによって示されてもよい。ターゲット符号化率Ｒは上りリンクグラントに含まれる第２のフィールドによって示されてもよい。ＰＵＳＣＨ送信のためのレイヤの数ｖは上りリンクグラントに含まれる第３のフィールドによって示されてもよい。第１のフィールドは第２のフィールドと同じでもよいし、異なってもよい。第１のフィールドは第３のフィールドと同じでもよいし、異なってもよい。第２のフィールドは、第３のフィールドと同じでもよいし、異なってもよい。
【００８９】
トランスポートブロックの符号化変調シンボルが、ＨＡＲＱ−ＡＣＫの符号化変調シンボルがマップされる要素を避けてマップされる場合、割り当てられたリソースエレメントの数ＮＲＥは、数式（２）によって与えられてもよい。トランスポートブロックの符号化変調シンボルが、ＨＡＲＱ−ＡＣＫの符号化変調シンボルがマップされる要素にマップされる場合、割り当てられたリソースエレメントの数ＮＲＥは、数式（３）によって与えられてもよい。
【００９０】
【数２】
2019016826.tif 000004
【００９１】
【数３】
2019016826.tif 000005
【００９２】
ＨＡＲＱ−ＡＣＫの符号化変調シンボルの数Ｑ’ＡＣＫは、ＨＡＲＱ−ＡＣＫのためのリソースエレメントの数、および、ＨＡＲＱ−ＡＣＫのための変調シンボル／複素数値シンボルの数と同じである。タイプＡ  ＣＳＩの符号化変調シンボルの数Ｑ’ＣＳＩ＿Ａは、タイプＡ  ＣＳＩのためのリソースエレメントの数、および、タイプＡ  ＣＳＩのための変調シンボル／複素数値シンボルの数と同じである。タイプＢ  ＣＳＩの符号化変調シンボルの数Ｑ’ＣＳＩ＿Ｂは、タイプＢ  ＣＳＩのためのリソースエレメントの数、および、タイプＢ  ＣＳＩのための変調シンボル／複素数値シンボルの数と同じである。ＣＳＩの符号化変調シンボルの数Ｑ’は、タイプＡ  ＣＳＩの符号化変調シンボルの数Ｑ’ＣＳＩ＿Ａ、および、タイプＢ  ＣＳＩの符号化変調シンボルの数Ｑ’ＣＳＩ＿Ｂの和であってもよい。
【００９３】
ＨＡＲＱ−ＡＣＫの符号化ビットの数ＱＡＣＫは、ＨＡＲＱ−ＡＣＫの符号化変調シンボルの数Ｑ’ＡＣＫと変調次数Ｑｍを乗算することによって得られる。タイプＡ  ＣＳＩの符号化ビットの数ＱＣＳＩ＿Ａは、タイプＡ  ＣＳＩの符号化変調シンボルの数Ｑ’ＣＳＩ＿Ａと変調次数Ｑｍを乗算することによって得られる。タイプＢ  ＣＳＩの符号化ビットの数ＱＣＳＩ＿Ｂは、タイプＢ  ＣＳＩの符号化変調シンボルの数Ｑ’ＣＳＩ＿Ｂと変調次数Ｑｍを乗算することによって得られる。
【００９４】
ＨＡＲＱ−ＡＣＫの符号化変調シンボルの数Ｑ’ＡＣＫは、数式（４）によって与えられてもよい。タイプＡ  ＣＳＩの符号化変調シンボルの数Ｑ’ＣＳＩ＿Ａは、数式（４）によって与えられてもよい。タイプＢ  ＣＳＩの符号化変調シンボルの数Ｑ’ＣＳＩ＿Ａは、数式（４）によって与えられてもよい。つまり、ＨＡＲＱ−ＡＣＫに対して、数式（４）の符号化変調シンボルの数Ｑ’は、Ｑ’ＡＣＫに置き換えられてもよい。また、タイプＡ  ＣＳＩに対して、数式（４）の符号化変調シンボルの数Ｑ’は、Ｑ’ＣＳＩ＿Ａに置き換えられてもよい。また、タイプＢ  ＣＳＩに対して、数式（４）の符号化変調シン
ボルの数Ｑ’は、Ｑ’ＣＳＩ＿Bに置き換えられてもよい。
【００９５】
【数４】
2019016826.tif 000006
【００９６】
ＭｍａｘはＨＡＲＱ−ＡＣＫ、タイプＡ  ＣＳＩ、または、タイプＢ  ＣＳＩの符号化変調シンボルの最大値である。ＨＡＲＱ−ＡＣＫのためのＭｍａｘはタイプＡ  ＣＳＩのためのＭｍａｘと同じでもよいし、異なってもよい。ＨＡＲＱ−ＡＣＫのためのＭｍａｘはタイプＢ  ＣＳＩのためのＭｍａｘと同じでもよいし、異なってもよい。タイプＡ  ＣＳＩのためのＭｍａｘはタイプＢ  ＣＳＩのためのＭｍａｘと同じでもよいし、異なってもよい。
【００９７】
ＨＡＲＱ−ＡＣＫ、または、タイプＡ  ＣＳＩのためのＭｍａｘは、Ｍｓｃ、ＰＴＲＳの周波数密度Ｂ、および、ＨＡＲＱ−ＡＣＫまたはタイプＡ  ＣＳＩの符号化変調シンボルがマップされるＯＦＤＭシンボル（ＳＣ−ＦＤＭＡシンボル）にＰＴＲＳがマップされるかどうかに少なくとも基づいて与えられてもよい。
【００９８】
タイプＢ  ＣＳＩのためのＭｍａｘは、Ｍｓｃ、Ｎｓｙｍｂ、ＰＴＲＳの周波数密度Ｂ、および、ＨＡＲＱ−ＡＣＫまたはタイプＡ  ＣＳＩの符号化変調シンボルがマップされるＯＦＤＭシンボル（ＳＣ−ＦＤＭＡシンボル）にＰＴＲＳがマップされるかどうか、変調次数Ｑｍ、ＨＡＲＱ−ＡＣＫの符号化変調シンボルの数Ｑ’ＡＣＫ、ＨＡＲＱ−ＡＣＫの符号化ビットの数ＱＡＣＫ、タイプＡ  ＣＳＩの符号化変調シンボルの数Ｑ’ＣＳＩ＿Ａ、および、タイプＡ  ＣＳＩの符号化ビットの数ＱＣＳＩ＿Ａの一部、または、全部に少なくとも基づいて与えられてもよい。トランスポートブロックの符号化変調シンボルがＨＡＲＱ−ＡＣＫの符号化変調シンボルがマップされる要素を避けてマップされる場合、タイプＢ  ＣＳＩのためのＭｍａｘは、ＨＡＲＱ−ＡＣＫの符号化変調シンボルの数Ｑ’ＡＣＫ、または、ＨＡＲＱ−ＡＣＫの符号化ビットの数ＱＡＣＫに少なくとも基づいて与えられてもよい。トランスポートブロックの符号化変調シンボルが、ＨＡＲＱ−ＡＣＫの符号化変調シンボルがマップされる要素にマップされる場合、タイプＢ  ＣＳＩのためのＭｍａｘは、ＨＡＲＱ−ＡＣＫの符号化変調シンボルの数Ｑ’ＡＣＫ、および、ＨＡＲＱ−ＡＣＫの符号化ビットの数ＱＡＣＫの何れも用いずに与えられてもよい。
【００９９】
基地局装置３は、βＨＡＲＱ−ＡＣＫを示すＲＲＣ層のパラメータとβＣＳＩ＿Ａを示すＲＲＣ層のパラメータとβＣＳＩ＿Ｂを示すＲＲＣ層のパラメータを含む情報を端末装置１に送信してもよい。
【０１００】
トランスポートブロックサイズＴＢＳを決定するために用いられるＱ’の算出のためにＴＢＳを用いることは好ましくない。そこで、数式（４）では、仮想的なトランスポートブロックサイズＴＢＳｖｉｒｔｕａｌに基づいて算出される仮想的なコードブロックの数Ｃ’、および、ＣＲＣパリティビットを含む仮想的なｒ番目のコードブロックサイズＫ’ｒが用いられる。すなわち、Ｃ’とＫ’ｒは、トランスポートブロックサイズＴＢＳの代わりに、仮想的なトランスポートブロックサイズＴＢＳｖｉｒｔｕａｌに基づいて算出されるＣとＫｒである。
【０１０１】
端末装置１および基地局装置３は、トランスポートブロックサイズ候補のセットの中から仮想的なトランスポートブロックサイズＴＢＳｖｉｒｔｕａｌを決定してもよい。端末装置１および基地局装置３は、仮想的な一時的なトランスポートブロックサイズＴＢＳｖｉｒｔｕａｌｔｅｍｐよりも大きく、且つ、最も小さいトランスポートブロックサイズ候補を、仮想的なトランスポートブロックサイズＴＢＳｖｉｒｔｕａｌとして選択してもよい。端末装置１および基地局装置３は、仮想的な一時的なトランスポートブロックサイズＴＢＳｖｉｒｔｕａｌｔｅｍｐよりも小さく、且つ、最も大きいトランスポートブロックサイズ候補を、仮想的なトランスポートブロックサイズＴＢＳｖｉｒｔｕａｌとして選択してもよい。
【０１０２】
仮想的な一時的なトランスポートブロックサイズＴＢＳｖｉｒｔｕａｌｔｅｍｐは、数式（５）によって与えられてもよい。仮想的な一時的なトランスポートブロックサイズＴＢＳｖｉｒｔｕａｌｔｅｍｐは、変調次数Ｑｍ、ターゲット符号化率Ｒ、仮想的なリソースエレメントの数ＮｖｉｒｔｕａｌＲＥ、および、レイヤの数ｖに少なくとも基づいて与えられてもよい。すなわち、仮想的なトランスポートブロックサイズＴＢＳｖｉｒｔｕａｌは、変調次数Ｑｍ、ターゲット符号化率Ｒ、仮想的なリソースエレメントの数ＮｖｉｒｔｕａｌＲＥ、および、レイヤの数ｖに少なくとも基づいて与えられてもよい。
【０１０３】
【数５】
2019016826.tif 000007
【０１０４】
仮想的なリソースエレメントの数ＮｖｉｒｔｕａｌＲＥは、数式（６）によって与えられてもよい。すなわち、数式４における（ＮＳＣ＿ｉｎｉｔｉａｌ・Ｎｓｙｍｂ＿ｉｎｉｔｉａｌ−ＮＰＴＲＳ＿ｉｎｉｔｉａｌ）は、仮想的なリソースエレメントの数ＮｖｉｒｔｕａｌＲＥに置き換えられてもよい。
【０１０５】
【数６】
2019016826.tif 000008
【０１０６】
割り当てられたリソースエレメントの数ＮＲＥはＱ’ＡＣＫ、Ｑ’ＣＳＩ＿Ａ、および／または、Ｑ’ＣＳＩ＿Ｂに基づいて与えられるが、仮想的なリソースエレメントの数ＮｖｉｒｔｕａｌＲＥはＱ’ＡＣＫ、Ｑ’ＣＳＩ＿Ａ、および、Ｑ’ＣＳＩ＿Ｂとは関係な
く与えられる。
【０１０７】
すなわち、トランスポートブロックサイズＴＢＳ、および、一時的なトランスポートブロックサイズＴＢＳｔｅｍｐを算出するために必要なＱ’ＡＣＫ、Ｑ’ＣＳＩ＿Ａ、および／または、Ｑ’ＣＳＩ＿Ｂは、Ｑ’ＡＣＫ、Ｑ’ＣＳＩ＿Ａ、および、Ｑ’ＣＳＩ＿Ｂを用いずに算出される仮想的なトランスポートブロックサイズＴＢＳｖｉｒｔｕａｌ、および、仮想的な一時的なトランスポートブロックサイズＴＢＳｖｉｒｔｕａｌｔｅｍｐに少なくとも基づいて与えられてもよい。
【０１０８】
図１３は、本実施形態におけるトランスポートブロックを算出するためのフローを示す図である。１３００において、端末装置１と基地局装置３は、Ｑ’ＡＣＫ、Ｑ’ＣＳＩ＿Ａ、および、Ｑ’ＣＳＩ＿Ｂを用いずに、仮想的なトランスポートブロックサイズＴＢＳｖｉｒｔｕａｌを算出する。１３０２において、端末装置１と基地局装置３は、仮想的なトランスポートブロックサイズＴＢＳｖｉｒｔｕａｌを用いて、Ｑ’ＡＣＫ、Ｑ’ＣＳＩ＿Ａ、および／または、Ｑ’ＣＳＩ＿Ｂを算出する。１３０４において、端末装置１と基地局装置３は、Ｑ’ＡＣＫ、Ｑ’ＣＳＩ＿Ａ、および／または、Ｑ’ＣＳＩ＿Ｂを用いて、トランスポートブロックサイズＴＢＳを算出する。
【０１０９】
ＨＡＲＱ−ＡＣＫの符号化変調シンボルの数Ｑ’ＡＣＫは、数式（７）によって与えられてもよい。タイプＡ  ＣＳＩの符号化変調シンボルの数Ｑ’ＣＳＩ＿Ａは、数式（７）によって与えられてもよい。タイプＢ  ＣＳＩの符号化変調シンボルの数Ｑ’ＣＳＩ＿Ａは、数式（７）によって与えられてもよい。つまり、ＨＡＲＱ−ＡＣＫに対して、数式（７）の符号化変調シンボルの数Ｑ’は、Ｑ’ＡＣＫに置き換えられてもよい。また、タイプＡ  ＣＳＩに対して、数式（７）の符号化変調シンボルの数Ｑ’は、Ｑ’ＣＳＩ＿Ａに置き換えられてもよい。また、タイプＢ  ＣＳＩに対して、数式（７）の符号化変調シンボルの数Ｑ’は、Ｑ’ＣＳＩ＿Bに置き換えられてもよい。
【０１１０】
【数７】
2019016826.tif 000009
【０１１１】
以下、本実施形態における、端末装置１および基地局装置３の種々の態様について説明する。
【０１１２】
（１）本実施形態の第１の態様は、端末装置１であって、ＨＡＲＱ−ＡＣＫとＣＳＩとトランスポートブロックを個別に符号化する符号化部と、ＰＵＳＣＨを用いて前記ＨＡＲＱ−ＡＣＫと前記ＣＳＩと前記トランスポートブロックを送信する送信部と、を備え、前記符号化部は、前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する。
【０１１３】
（２）本実施形態の第１の態様において、前記符号化部は、前記トランスポートブロックの符号化変調シンボルの一部を、前記第１の符号化変調シンボルで上書きする。
【０１１４】
（３）本実施形態の第１の態様において、前記符号化部は、前記第１の符号化変調シンボルによって前記トランスポートブロックの符号化変調シンボルが上書きされる場合、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算し、前記トランスポートブロックの符号化変調シンボルが前記ＨＡＲＱ−ＡＣＫの符号化変調シンボルを避けてマップされる場合、前記トランスポートブロックのサイズを、前記第１の符号化変調シンボルの数Ｑ’ＡＣＫ、および、前記第２の符号化変調シンボルの数Ｑ’ＣＳＩに少なくとも基づいて計算する。
【０１１５】
（４）本実施形態の第２の態様は、端末装置１であって、上りリンク制御情報とトランスポートブロックを個別に符号化する符号化部と、ＰＵＳＣＨを用いて前記上りリンク制御情報と前記トランスポートブロックを送信する送信部と、を備え、前記符号化部は、上りリンク制御情報のための符号化変調シンボルの数Ｑ’を用いずに、仮想的なトランスポートブロックサイズＴＢＳｖｉｒｔｕａｌを計算し、前記仮想的なトランスポートブロックサイズＴＢＳｖｉｒｔｕａｌに少なくとも基づいて、前記符号化変調シンボルの数Ｑ’を計算し、前記符号化変調シンボルの数Ｑ’に少なくとも基づいて、前記トランスポートブロックのサイズＴＢＳを計算する。
【０１１６】
（６）本実施形態の第３の態様は、端末装置１であって、下りリンク制御情報を含むＰＤＣＣＨを受信する受信部と、上りリンク制御情報とトランスポートブロックを個別に符号化する符号化部と、ＰＵＳＣＨを用いて前記上りリンク制御情報と前記トランスポートブロックを送信する送信部と、を備え、前記下りリンク制御情報は、ターゲット符号化率Ｒと変調次数Ｑｍを示し、前記符号化部は、前記ターゲット符号化率Ｒと変調次数Ｑｍに少なくとも基づいて、前記上りリンク制御情報の符号化変調シンボルの数Ｑ’を計算し、前記ターゲット符号化率Ｒと変調次数Ｑｍと前記符号化変調シンボルの数Ｑ’に少なくとも基づいて、前記トランスポートブロックのサイズを計算する。
【０１１７】
（７）本実施形態の第４の態様は、基地局装置３であって、ＨＡＲＱ−ＡＣＫとＣＳＩとトランスポートブロックを個別に復号する復号部と、ＰＵＳＣＨを用いて前記ＨＡＲＱ−ＡＣＫと前記ＣＳＩと前記トランスポートブロックを受信する受信部と、を備え、前記復号部は、前記ＨＡＲＱ−ＡＣＫの第１の符号化変調シンボルの数Ｑ’ＡＣＫ、および、前記ＣＳＩの第２の符号化変調シンボルの数Ｑ’ＣＳＩを計算し、前記トランスポートブロックのサイズを、前記第１の符号化変調シンボルの数Ｑ’ＡＣＫを用いずに、且つ、前記第２の符号化変調シンボルの数Ｑ’ＣＳＩに少なくとも基づいて計算する。
【０１１８】
（８）本実施形態の第５の態様は、基地局装置３であって、上りリンク制御情報とトランスポートブロックを個別に復号する復号部と、ＰＵＳＣＨを用いて前記上りリンク制御情報と前記トランスポートブロックを受信する受信部と、を備え、前記復号部は、上りリンク制御情報のための符号化変調シンボルの数Ｑ’を用いずに、仮想的なトランスポートブロックサイズＴＢＳｖｉｒｔｕａｌを計算し、前記仮想的なトランスポートブロックサイズＴＢＳｖｉｒｔｕａｌに少なくとも基づいて、前記符号化変調シンボルの数Ｑ’を計算し、前記符号化変調シンボルの数Ｑ’に少なくとも基づいて、前記トランスポートブロックのサイズＴＢＳを計算する。
【０１１９】
（９）本実施形態の第６の態様は、基地局装置３であって、下りリンク制御情報を含むＰＤＣＣＨを送信する送信部と、上りリンク制御情報とトランスポートブロックを個別に復号する復号部と、ＰＵＳＣＨを用いて前記上りリンク制御情報と前記トランスポートブ
ロックを受信する受信部と、を備え、前記下りリンク制御情報は、ターゲット符号化率Ｒと変調次数Ｑｍを示し、前記復号部は、前記ターゲット符号化率Ｒと変調次数Ｑｍに少なくとも基づいて、前記上りリンク制御情報の符号化変調シンボルの数Ｑ’を計算し、前記ターゲット符号化率Ｒと変調次数Ｑｍと前記符号化変調シンボルの数Ｑ’に少なくとも基づいて、前記トランスポートブロックのサイズを計算する。
【０１２０】
（１０）本実施形態の第２、第３、第５または第６の態様において、前記上りリンク制御情報はＨＡＲＱ−ＡＣＫである。
【０１２１】
（１１）本実施形態の第２、第３、第５または第６の態様において、前記上りリンク制御情報はＣＳＩである。
【０１２２】
（１２）本実施形態の第２、第３、第５または第６の態様において、上りリンク制御情報のための符号化変調シンボルの数Ｑ’は、ＨＡＲＱ−ＡＣＫの符号化変調シンボル数Ｑ’ＡＣＫ、または、ＣＳＩの符号化変調シンボル数Ｑ’ＣＳＩであってもよい。上りリンク制御情報のための符号化変調シンボルの数Ｑ’は、ＨＡＲＱ−ＡＣＫの符号化変調シンボル数Ｑ’ＡＣＫ、および、ＣＳＩの符号化変調シンボル数Ｑ’ＣＳＩの和であってもよい。
【０１２３】
これにより、端末装置１と基地局装置３は効率的に情報のサイズ、および／または、情報のための変調シンボル／符号化シンボル／リソースエレメントの数を決定することができる。
【０１２４】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１２５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１２６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１２９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１３０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１３１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１３２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１３３】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019016826.tif 000010
【図２】
2019016826.tif 000011
【図３】
2019016826.tif 000012
【図４】
2019016826.tif 000013
【図５】
2019016826.tif 000014
【図６】
2019016826.tif 000015
【図７】
2019016826.tif 000016
【図８】
2019016826.tif 000017
【図９】
2019016826.tif 000018
【図１０】
2019016826.tif 000019
【図１１】
2019016826.tif 000020
【図１２】
2019016826.tif 000021
【図１３】
2019016826.tif 000022